(57)【要約】【課題】  内蔵の時計を容易に書替えることができない、基準時計装置が提供する時刻情報に基づいてのみ時刻修正を行なう時計改竄防止装置を提供する。【解決手段】  基準時計装置が提供する時刻情報に基づいてのみ時刻修正を行なう時計改竄防止装置であって、予めコードを記憶し、前記基準時計装置から時刻情報を受信する時刻情報受信手段と、予め前記時刻受信処理部が記憶するコードと同じコードを記憶するコード記憶手段と、前記時刻受信処理部が前記時刻情報の受信に基づいて出力するコードと前記コード記憶手段が記憶するコードを比較する比較手段と、前記比較した２つのコードが同一の場合のみ、前記時刻情報受信手段が受信した時刻情報に基づいて時刻を修正する時刻修正手段と、を備えたことを特徴とする。【選択図】    図３
2005165622.tif 000002
【特許請求の範囲】
【請求項１】
基準時計装置が提供する時刻情報に基づいてのみ時刻修正を行なう時計改竄防止装置であって、
前記基準時計装置から修正時刻とコードとを含む前記時刻情報を受信する時刻情報受信手段と、
予め前記時刻情報に含まれるコードと同じコードを記憶するコード記憶手段と、
前記時刻情報に含まれるコードと前記コード記憶手段が記憶するコードとを比較する比較手段と、
前記比較した２つのコードが同一の場合のみ、前記時刻情報に含まれる修正時刻基づいて時刻を修正する時刻修正手段と、
を備えたことを特徴とする時計改竄防止装置。
【請求項２】
基準時計装置が提供する時刻情報に基づいてのみ時刻修正を行なう時計改竄防止装置であって、
前記基準時計装置から修正時刻を含む前記時刻情報を受信し、前記修正時刻を所定の符号化方式により符号化し当該符号化情報を作成する時刻情報受信手段と、
前記修正時刻を前記時刻受信手段から受け付けて、その修正時刻を前記所定の符号化方式により符号化し当該符号化情報を作成する符号化手段と、
前記時刻情報受信手段の作成した符号化情報と前記符号化手段が作成した符号化情報と比較する比較手段と、
前記比較した２つの符号化情報が同一の場合のみ、前記時刻情報受信手段が受信した時刻情報に含まれる修正時刻に基づいて時刻を修正する時刻修正手段と、
を備えたことを特徴とする時計改竄防止装置。
【請求項３】
基準時計装置が提供する時刻情報に基づいてのみ時刻修正を行なう時計改竄防止装置であって、
前記基準時計装置から修正時刻とコードとを含む前記時刻情報を受信し、前記修正時刻を所定の符号化方式により符号化し当該符号化情報を作成する時刻情報受信手段と、
予め前記時刻情報に含まれるコードと同じコードを記憶するコード記憶手段と、
前記修正時刻を前記時刻情報受信手段から受け付けて、その修正時刻を前記所定の符号化方式により符号化して当該符号化情報を作成する符号化手段と、
前記時刻情報に含まれるコードおよび前記時刻情報受信手段の作成した符号化情報の組合せと前記コード記憶手段が記憶するコードおよび前記符号化手段が作成した符号化情報との組合せとを比較する比較手段と、
前記比較した２つのコードと符号化情報との組合せが同一の場合のみ、前記時刻情報受信手段が受信した時刻情報に含まれる修正時刻に基づいて時刻を修正する時刻修正手段と、
を備えたことを特徴とする時計改竄防止装置。
【請求項４】
基準時計装置と時計改竄防止装置とがネットワークを介して接続された時計改竄防止システムであって、
前記基準時計装置が、自身の刻む時刻に基づく修正時刻とその修正時刻を所定の符号化方式により符号化した符号化情報とを、前記時計改竄防止装置からの指示に基づいて送信し、
前記時計改竄防止装置が、
前記基準時計装置から前記修正時刻と前記符号化情報とを受信する時刻情報受信手段と、
前記修正時刻を前記時刻情報受信手段から受け付けて、その修正時刻を前記所定の符号化方式により符号化し当該符号化情報を作成する符号化手段と、
前記時刻情報受信手段が受信した符号化情報と前記符号化手段で作成した符号化情報とを比較する比較手段と、
前記比較した２つの符号化情報が同一の場合にのみ、前記時刻情報受信手段が受信した修正時刻に基づいて時刻を修正する時刻修正手段と、
を備えたことを特徴とする時計改竄防止システム。
【請求項５】
基準時計装置が提供する時刻情報に基づいてのみ時刻修正を行なう時計改竄防止方法であって、
前記基準時計装置から修正時刻とコードとを含む前記時刻情報を受信する時刻情報受信手段と、
予め前記時刻情報に含まれるコードと同じコードを記憶するコード記憶過程と、
前記時刻情報に含まれるコードと前記予め記憶するコードとを比較する比較過程と、
前記比較した２つのコードが同一の場合のみ、前記時刻情報に含まれる修正時刻基づいて時刻を修正する時刻修正過程と、
を有することを特徴とする時計改竄防止方法。
【請求項６】
基準時計装置が提供する時刻情報に基づいてのみ時刻修正を行なう時計改竄防止方法であって、
前記基準時計装置から修正時刻を含む前記時刻情報を受信し、前記修正時刻を所定の符号化方式により符号化し当該符号化情報を作成する時刻情報受信過程と、
前記修正時刻を前記所定の符号化方式により符号化し当該符号化情報を作成する符号化過程と、
前記時刻情報受信過程において作成した符号化情報と前記符号化過程において作成した符号化情報と比較する比較過程と、
前記比較した２つの符号化情報が同一の場合のみ、前記時刻情報受信過程において受信した時刻情報に含まれる修正時刻に基づいて時刻を修正する時刻修正過程と、
を有することを特徴とする時計改竄防止方法。
【請求項７】
基準時計装置が提供する時刻情報に基づいてのみ時刻修正を行なう時計改竄防止方法であって、
前記基準時計装置から修正時刻とコードとを含む前記時刻情報を受信し、前記修正時刻を所定の符号化方式により符号化し当該符号化情報を作成する時刻情報受信過程と、
予め前記時刻情報に含まれるコードと同じコードを記憶するコード記憶過程と、
前記修正時刻を前記所定の符号化方式により符号化して当該符号化情報を作成する符号化過程と、
前記時刻情報に含まれるコードおよび前記時刻情報受信過程において作成した符号化情報の組合せと前記予め記憶するコードおよび前記符号化過程において作成した符号化情報との組合せとを比較する比較過程と、
前記比較した２つのコードと符号化情報との組合せが同一の場合のみ、前記時刻情報受信過程において受信した時刻情報に含まれる修正時刻に基づいて時刻を修正する時刻修正過程と、
を有することを特徴とする時計改竄防止方法。
【請求項８】
基準時計装置が提供する時刻情報に基づいてのみ時刻修正を行なう時計改竄防止装置に用いられるプログラムであって、
前記基準時計装置から修正時刻とコードとを含む前記時刻情報を受信する時刻情報受信処理と、
予め前記時刻情報に含まれるコードと同じコードを記憶するコード記憶手段から前記コードを受け付け、当該読み取ったコードと前記時刻情報に含まれるコードとを比較する比較処理と、
前記比較した２つのコードが同一の場合のみ、前記時刻情報に含まれる修正時刻基づいて時刻を修正する時刻修正処理と、
をコンピュータに実行させる時計改竄防止プログラム。
【請求項９】
基準時計装置が提供する時刻情報に基づいてのみ時刻修正を行なう時計改竄防止装置に用いられるプログラムであって、
前記基準時計装置から修正時刻を含む前記時刻情報を受信し、前記修正時刻を所定の符号化方式により符号化し当該符号化情報を作成する時刻情報受信処理と、
前記修正時刻を前記所定の符号化方式により符号化し当該符号化情報を作成する符号化処理と、
前記時刻情報受信処理において作成した符号化情報と前記符号化処理において作成した符号化情報と比較する比較処理と、
前記比較した２つの符号化情報が同一の場合のみ、前記時刻情報受信処理において受信した時刻情報に含まれる修正時刻に基づいて時刻を修正する時刻修正処理と、
をコンピュータに実行させる時計改竄防止プログラム。
【請求項１０】
基準時計装置が提供する時刻情報に基づいてのみ時刻修正を行なう時計改竄防止装置に用いられるプログラムであって、
前記基準時計装置から修正時刻とコードとを含む前記時刻情報を受信し、前記修正時刻を所定の符号化方式により符号化し当該符号化情報を作成する時刻情報受信処理と、
前記修正時刻を前記所定の符号化方式により符号化して当該符号化情報を作成する符号化処理と、
前記時刻情報に含まれるコードおよび前記時刻情報受信処理において作成した符号化情報の組合せと、予め前記時刻情報に含まれるコードと同じコードを記憶するコード記憶手段から受け付けたコードおよび前記符号化処理において作成した符号化情報との組合せとを比較する比較処理と、
前記比較した２つのコードと符号化情報との組合せが同一の場合のみ、前記時刻情報受信処理において受信した時刻情報に含まれる修正時刻に基づいて時刻を修正する時刻修正処理と、
をコンピュータに実行させる時計改竄防止プログラム。
【発明の詳細な説明】
【技術分野】
【０００１】
本発明は、基準時計装置と時計改竄防止装置とがネットワークを介して接続され、基準時計装置が提供する時刻情報に基づいてのみ時刻修正を行なうことのできる。時計改竄防止システムに関する。
【背景技術】
【０００２】
企業では電子文書化が進み、特定の電子情報について「過去の特定時刻に存在していること、およびそれ以降データが改竄されていないこと」を証明する必要があり、このような状況の下、タイムスタンプ技術が開発され、電子公証サービスも開始されている。
一方、企業についはイントラネットで使用する時刻が如何に正確であるかが求められてきている。従って、このような企業の要望に応じるために、協定世界時または日本標準時などをＦＭ電波、電話回線、ＧＰＳ（Global Positioning System）もしくはインターネット等を介して配信するサービスも開始されている。
【０００３】
しかしながら、配信された時刻はその経路上で改竄される危険性があると共に、当該時刻が確実に使用されているという保証がないことから、協定世界時に基づいて校正されている信頼できる基準時刻を一定のタイミングで取得し、内部で使用するクライアント時刻と比較してその時間差が所定の範囲にあることを監視し、かつ証明する時刻監視システムが提案されている（例えば、特許文献１参照）。
【特許文献１】特開２００３−２６３５１７号公報（段落「０００７」〜段落「００２４」、図１）
【発明の開示】
【発明が解決しようとする課題】
【０００４】
上記した特許文献１によれば、監視タイミング直後はクライアント時刻の信頼性は保証されるが、次の監視タイミングまでの間に改竄の余地が残り、簡単に時刻の改竄ができる。従って根本的に改竄の危険性を回避したことにはならない。
本発明は上記事情に鑑みてなされたものであり、内蔵の時計を容易に書替えることのできない時計改竄防止装置および方法ならびにプログラムを提供することを目的とする。
【課題を解決するための手段】
【０００５】
上記した課題を解決するために本発明は、基準時計装置が提供する時刻情報に基づいてのみ時刻修正を行なう時計改竄防止装置であって、前記基準時計装置から修正時刻とコードとを含む前記時刻情報を受信する時刻情報受信手段と、予め前記時刻情報に含まれるコードと同じコードを記憶するコード記憶手段と、前記時刻情報に含まれるコードと前記コード記憶手段が記憶するコードとを比較する比較手段と、前記比較した２つのコードが同一の場合のみ、前記時刻情報に含まれる修正時刻基づいて時刻を修正する時刻修正手段とを備えたことを特徴とする時計改竄防止装置である。
【０００６】
また本発明は、基準時計装置が提供する時刻情報に基づいてのみ時刻修正を行なう時計改竄防止装置であって、前記基準時計装置から修正時刻を含む前記時刻情報を受信し、前記修正時刻を所定の符号化方式により符号化し当該符号化情報を作成する時刻情報受信手段と、前記修正時刻を前記時刻受信手段から受け付けて、その修正時刻を前記所定の符号化方式により符号化し当該符号化情報を作成する符号化手段と、前記時刻情報受信手段の作成した符号化情報と前記符号化手段が作成した符号化情報と比較する比較手段と、前記比較した２つの符号化情報が同一の場合のみ、前記時刻情報受信手段が受信した時刻情報に含まれる修正時刻に基づいて時刻を修正する時刻修正手段とを備えたことを特徴とする時計改竄防止装置である。
【０００７】
また本発明は、基準時計装置が提供する時刻情報に基づいてのみ時刻修正を行なう時計改竄防止装置であって、前記基準時計装置から修正時刻とコードとを含む前記時刻情報を受信し、前記修正時刻を所定の符号化方式により符号化し当該符号化情報を作成する時刻情報受信手段と、予め前記時刻情報に含まれるコードと同じコードを記憶するコード記憶手段と、前記修正時刻を前記時刻情報受信手段から受け付けて、その修正時刻を前記所定の符号化方式により符号化して当該符号化情報を作成する符号化手段と、前記時刻情報に含まれるコードおよび前記時刻情報受信手段の作成した符号化情報の組合せと前記コード記憶手段が記憶するコードおよび前記符号化手段が作成した符号化情報との組合せとを比較する比較手段と、前記比較した２つのコードと符号化情報との組合せが同一の場合のみ、前記時刻情報受信手段が受信した時刻情報に含まれる修正時刻に基づいて時刻を修正する時刻修正手段とを備えたことを特徴とする時計改竄防止装置である。
【０００８】
また本発明は、基準時計装置と時計改竄防止装置とがネットワークを介して接続された時計改竄防止システムであって、前記基準時計装置が、自身の刻む時刻に基づく修正時刻とその修正時刻を所定の符号化方式により符号化した符号化情報とを、前記時計改竄防止装置からの指示に基づいて送信し、前記時計改竄防止装置が、前記基準時計装置から前記修正時刻と前記符号化情報とを受信する時刻情報受信手段と、前記修正時刻を前記時刻情報受信手段から受け付けて、その修正時刻を前記所定の符号化方式により符号化し当該符号化情報を作成する符号化手段と、前記時刻情報受信手段が受信した符号化情報と前記符号化手段で作成した符号化情報とを比較する比較手段と、前記比較した２つの符号化情報が同一の場合にのみ、前記時刻情報受信手段が受信した修正時刻に基づいて時刻を修正する時刻修正手段とを備えたことを特徴とする時計改竄防止システムである。
【０００９】
また本発明は、基準時計装置が提供する時刻情報に基づいてのみ時刻修正を行なう時計改竄防止方法であって、前記基準時計装置から修正時刻とコードとを含む前記時刻情報を受信する時刻情報受信手段と、予め前記時刻情報に含まれるコードと同じコードを記憶するコード記憶過程と、前記時刻情報に含まれるコードと前記予め記憶するコードとを比較する比較過程と、前記比較した２つのコードが同一の場合のみ、前記時刻情報に含まれる修正時刻基づいて時刻を修正する時刻修正過程とを有することを特徴とする時計改竄防止方法である。
【００１０】
また本発明は、基準時計装置が提供する時刻情報に基づいてのみ時刻修正を行なう時計改竄防止方法であって、前記基準時計装置から修正時刻を含む前記時刻情報を受信し、前記修正時刻を所定の符号化方式により符号化し当該符号化情報を作成する時刻情報受信過程と、前記修正時刻を前記所定の符号化方式により符号化し当該符号化情報を作成する符号化過程と、前記時刻情報受信過程において作成した符号化情報と前記符号化過程において作成した符号化情報と比較する比較過程と、前記比較した２つの符号化情報が同一の場合のみ、前記時刻情報受信過程において受信した時刻情報に含まれる修正時刻に基づいて時刻を修正する時刻修正過程とを有することを特徴とする時計改竄防止方法である。
【００１１】
また本発明は、基準時計装置が提供する時刻情報に基づいてのみ時刻修正を行なう時計改竄防止方法であって、前記基準時計装置から修正時刻とコードとを含む前記時刻情報を受信し、前記修正時刻を所定の符号化方式により符号化し当該符号化情報を作成する時刻情報受信過程と、予め前記時刻情報に含まれるコードと同じコードを記憶するコード記憶過程と、前記修正時刻を前記所定の符号化方式により符号化して当該符号化情報を作成する符号化過程と、前記時刻情報に含まれるコードおよび前記時刻情報受信過程において作成した符号化情報の組合せと前記予め記憶するコードおよび前記符号化過程において作成した符号化情報との組合せとを比較する比較過程と、前記比較した２つのコードと符号化情報との組合せが同一の場合のみ、前記時刻情報受信過程において受信した時刻情報に含まれる修正時刻に基づいて時刻を修正する時刻修正過程とを有することを特徴とする時計改竄防止方法である。
【００１２】
また本発明は、基準時計装置が提供する時刻情報に基づいてのみ時刻修正を行なう時計改竄防止装置に用いられるプログラムであって、前記基準時計装置から修正時刻とコードとを含む前記時刻情報を受信する時刻情報受信処理と、予め前記時刻情報に含まれるコードと同じコードを記憶するコード記憶手段から前記コードを受け付け、当該読み取ったコードと前記時刻情報に含まれるコードとを比較する比較処理と、前記比較した２つのコードが同一の場合のみ、前記時刻情報に含まれる修正時刻基づいて時刻を修正する時刻修正処理とをコンピュータに実行させる時計改竄防止プログラムである。
【００１３】
また本発明は、基準時計装置が提供する時刻情報に基づいてのみ時刻修正を行なう時計改竄防止装置に用いられるプログラムであって、前記基準時計装置から修正時刻を含む前記時刻情報を受信し、前記修正時刻を所定の符号化方式により符号化し当該符号化情報を作成する時刻情報受信処理と、前記修正時刻を前記所定の符号化方式により符号化し当該符号化情報を作成する符号化処理と、前記時刻情報受信処理において作成した符号化情報と前記符号化処理において作成した符号化情報と比較する比較処理と、前記比較した２つの符号化情報が同一の場合のみ、前記時刻情報受信処理において受信した時刻情報に含まれる修正時刻に基づいて時刻を修正する時刻修正処理とをコンピュータに実行させる時計改竄防止プログラムである。
【００１４】
また本発明は、基準時計装置が提供する時刻情報に基づいてのみ時刻修正を行なう時計改竄防止装置に用いられるプログラムであって、前記基準時計装置から修正時刻とコードとを含む前記時刻情報を受信し、前記修正時刻を所定の符号化方式により符号化し当該符号化情報を作成する時刻情報受信処理と、前記修正時刻を前記所定の符号化方式により符号化して当該符号化情報を作成する符号化処理と、前記時刻情報に含まれるコードおよび前記時刻情報受信処理において作成した符号化情報の組合せと、予め前記時刻情報に含まれるコードと同じコードを記憶するコード記憶手段から受け付けたコードおよび前記符号化処理において作成した符号化情報との組合せとを比較する比較処理と、前記比較した２つのコードと符号化情報との組合せが同一の場合のみ、前記時刻情報受信処理において受信した時刻情報に含まれる修正時刻に基づいて時刻を修正する時刻修正処理とをコンピュータに実行させる時計改竄防止プログラムである。
【発明を実施するための最良の形態】
【００１５】
図１は、本発明の時計改竄防止システムの接続構成を説明するために引用した図である。本発明の時計改竄防止システムは、ＰＣ等で構成される時計改竄防止装置がインターネット等の通信ネットワーク（ＮＷ）３を介して基準時計装置１に接続される。
ここで、基準時計装置１は、通信ＮＷ３を介して協定世界時または日本標準時等の時刻情報を配信するサーバである。図２に時計改竄防止装置２の内部構成が示されている。
【００１６】
本発明の時計改竄防止装置２は、ＣＰＵ２１を核に、本発明の時計改竄防止プログラムが格納されるＲＡＭ２２、時刻を刻むタイマモジュール２３、ディスク装置２４、ＫＢ（キーボード）ディスプレイ２５がアドレスデータ、コントロールのためのラインが複数本で構成されるシステムバス２６に共通接続される。
ＣＰＵ２１は、ＲＡＭ２２に格納された時計改竄防止プログラムに従い、基準時計装置１から時刻情報を受信し、特定の条件が成立した場合にのみ受信した時刻情報に基づいて時刻を修正する機能を持つ。タイマモジュール２３の内部構成は図３に示されている。
【００１７】
タイマモジュール２３は、時計本体（時刻修正手段）２３０、直並列変換回路（Ｓ／Ｐ）２３１、２３２、ＩＤコード（コード記憶手段）２３３、比較回路（比較手段）２３４、並直列回路（Ｐ／Ｓ）２３５で構成される。
Ｓ／Ｐ１（２３１）、Ｓ／Ｐ２（２３２）には、ＣＰＵ２１を介して修正時刻とコードを含む時刻情報が入力データとして供給される。入力データのフォーマットは図４にその一例が示されている。ここで、修正時刻は、年、月、日付、分、秒、読取り時刻は、秒以下の単位も設定される。また、コードは、ＩＤコードのビット長と同じであることが要求され、ビット長を長く設定するほどセキュリティを高めることができる。なお、ＩＤコード２３３に設定されるコードは、チップ（タイマモジュール２３）作成時に固定的に記録される方法と、ある符号化規則に従い書き込む方法の２つがある。
【００１８】
以下、ＩＤコード２３３にユニークなコードがチップ作成時に記録されているものとして説明する。Ｓ／Ｐ１（２３１）、Ｓ／Ｐ２（２３２）に供給される入力データは逐次シフトされ、あるタイミングでＳ／Ｐ１（２３１）に修正時刻、Ｓ／Ｐ２（２３２）にコードが設定されたときに、当該コードと、ＩＤコード２３３とが、比較回路２３４によって比較される。比較回路２３４により両コードの一致が検出された場合、その信号は時計本体２３０にライトイネーブル（Write Enable）信号として供給され、このとき、Ｓ／Ｐ１（２３１）に設定された修正時刻が時計本体２３０に供給され、時刻修正処理が実行される。
【００１９】
図５〜図７に、本発明の時計改竄防止装置による改竄防止方法がそれぞれフローチャートで示されている。ＩＤコードの生成方法として、（１）チップ作成時にユニークなコードを書き込む方法、（２）書き込まれる時刻をある変換規則に従い生成する方法、（３）（１）と（２）を併合する方法のそれぞれについて示されている。
以下、図５〜図７に示すフローチャートを参照しながら、本発明の時計改竄防止方法について説明する。
【００２０】
図５に示すフローチャートにおいて、時計改竄防止装置２は、まず、基準時計装置１からコードと修正時刻とを含む時刻情報を受信する（Ｓ５１）。その受信フォーマットは図４に示すとおりであり、ここで受信されたデータはタイマモジュール２３に供給される（Ｓ５２）。
一方、タイマモジュール２３のＩＤコード２３３には時刻情報に含まれるコードとユニークなコードがあらかじめ記録されており、従って、修正時刻の受信に基づいて出力されるコードとそのＩＤコード２３３が比較回路２３４で比較され（Ｓ５３）、一致した場合にその修正時刻が時計本体２３０に供給され、修正時刻に基づく時刻修正がなされる（Ｓ５４）。
このことにより、簡単な回路構成とソフトウェアの組合せにより内蔵の時計を容易に書替えることができない、基準時計装置が提供する時刻情報に基づいてのみ時刻修正を行なう時計改竄防止装置を提供できる。
【００２１】
図６に示すフローチャートにおいて、本発明の時計改竄防止装置２は、基準時計装置１から時刻情報を受信し（Ｓ６１）、例えばＣＰＵ２１が当該時刻情報に含まれる修正時刻を所定の符号化方式により符号化して当該符号化情報を作成する（Ｓ６２、Ｓ６３）。また、タイマモジュール２３においても、その時刻情報に含まれる修正時刻を受け付けて当該時刻情報を所定の符号化方式により符号化し当該符号化情報を作成する（Ｓ６２、Ｓ６３）。なお、この符号化のためのロジックは、図３に示すタイマモジュールの内部構成には図示省略されている。
そして、タイマモジュール２３の比較回路２３４において、ＣＰＵ２１で符号化されＳ／Ｐ１（２３２）から出力された符号化情報と、タイマモジュール２３内で作成されＳ／Ｐ２（２３２）から出力された符号化情報との比較が行われる（Ｓ６４）。ここで比較される２つの符号化情報が同一の場合のみ、受信した時刻情報に含まれる修正時刻に基づいて時計本体２３０の時刻修正が実行される（Ｓ６５）。
このことにより、簡単な回路構成とソフトウェアの組合せにより内蔵の時計を容易に書替えることができない、基準時計装置が提供する時刻情報に基づいてのみ時刻修正を行なう時計改竄防止装置を提供できる。
【００２２】
図７に示すフローチャートにおいて、まず、本発明の時計改竄防止装置２は、基準時計装置１から時刻情報を受信し（Ｓ７１）また、例えばＣＰＵ２１において時刻情報に含まれる修正時刻を所定の符号化方式により符号化し当該符号化情報を作成する（Ｓ７２）。
一方、タイマモジュール２３は、予め前記コードを記憶し、ＣＰＵ２１を介して時刻情報を受け付けて、その時刻情報に含まれる修正時刻を所定の符号化方式により符号化して当該符号化情報を作成する（Ｓ７３）。そして、比較回路２３４にて、前記時刻情報に含まれるコードおよびステップＳ７２で作成された符号化情報の組合せと、記憶されたコードおよびステップＳ７３作成された符号化情報との組合せとを比較し（Ｓ７４）、当該比較した２つのコードと符号化情報との組合せが同一の場合にのみ、基準時計装置１から受信した修正時刻に基づいて時計本体２３０の時刻修正が実行される（Ｓ７５）。
このことにより、簡単な回路構成とソフトウェアの組合せによりで内蔵の時計を容易に書替えることができない、基準時計装置が提供する時刻情報に基づいてのみ時刻修正を行なう時計改竄防止装置を提供できる。
【００２３】
図８は、本発明の時計改竄防止システムの内部構成を機能展開して示したブロック図である。ここでは、基準時計装置１が修正時刻の他に、修正時刻に基づき符号化した情報を時計改竄防止装置２に送信する実施形態が示されている。
基準時計装置１は、自身の刻む時刻の情報とその時刻の情報（修正時刻）を所定の符号化方式により符号化した符号化情報とを含む時刻情報を時計改竄防止装置２からの指示に基づいて送信する手段（図示せず）を備えている。また、時計改竄防止装置２は、通信ＮＷ３を介して上記した基準時計装置１に接続され、時刻情報受信手段２１１と、時刻修正手段２１２、そして、基準時計装置１と同じ符号化方式により符号化を行なう符号化手段２３１と、比較手段２３２から成るタイマモジュールとを含む。
【００２４】
時刻情報受信手段２１１は、基準時計装置１から入手される時刻の情報（修正時刻）と符号化情報とを含む時刻情報を受信してタイマモジュール２３へ供給し、タイマモジュール２３では、内蔵する符号化手段２３１により、時刻情報受信手段２１１によって供給される時刻情報に含まれる修正時刻を所定の符号化方式により符号化して符号化情報を作成し、比較対象として比較手段２３２の一方の入力に供給する。また、比較手段２３２の他方の入力として時刻情報受信手段２１１を介して基準時計装置１から送信された時刻情報に含まれる符号化情報が供給され、ここで比較された両符号化情報が同一の場合にのみ時刻修正手段２１２を起動し、時刻修正手段２１２は、時刻情報受信手段２１１が受信した時刻の情報（修正時刻）に基づいて時計本体２３０の時刻を修正する。
このことにより、簡単な回路構成とソフトウェアの組合せによりで内蔵の時計を容易に書替えることができない、基準時計装置が提供する時刻情報に基づいてのみ時刻修正を行なう時計改竄防止システムを提供できる。
【００２５】
以上説明のように本発明は、基準時計装置が提供する時刻情報に基づいてのみ時刻修正を行なうものであって、ソフトウェアとハードウェアのそれぞれに設定されるコードが一致した場合にのみ時刻修正を許可する構成としたことにより、内蔵の時計を容易に書替えることができない時計改竄防止装置、あるいは時計改竄防止システムを提供することができる。
【図面の簡単な説明】
【００２６】
【図１】本発明の時計改竄防止システムの接続構成を示す図。
【図２】図１における時計改竄防止装置の内部構成を示すブロック図。
【図３】図２におけるタイマモジュールの内部構成を示す図。
【図４】タイマモジュールに入力されるデータ構造の一例を示す図。
【図５】本発明一実施形態の動作を示すフローチャート。
【図６】本発明一実施形態の動作を示すフローチャート。
【図７】本発明一実施形態の動作を示すフローチャート。
【図８】本発明の時計改竄防止システムの内部構成を機能展開して示した図。
【符号の説明】
【００２７】
１…基準時計装置、２…時計改竄防止装置、３…通信ＮＷ、２１…ＣＰＵ、２３…タイマモジュール、２１１…時刻情報受信手段、２１２…時刻修正手段、２３１（２３２）…直並列変換回路（Ｓ／Ｐ）、２３３…ＩＤコード、２３４…比較回路
【図１】
2005165622.tif 000003
【図２】
2005165622.tif 000004
【図３】
2005165622.tif 000005
【図４】
2005165622.tif 000006
【図５】
2005165622.tif 000007
【図６】
2005165622.tif 000008
【図７】
2005165622.tif 000009
【図８】
2005165622.tif 000010